(57)【特許請求の範囲】
【請求項１】
閉じている状態では操作不可能な開閉式の操作パネルと、該操作パネルに配設された電子表示部と、該電子表示部の点消灯を制御する制御手段と、前記操作パネルの開閉状態を検出する開閉状態検知手段とを備え、
前記制御手段は、開閉状態検知手段により操作パネルの開状態を検知したとき、並びに、開閉状態検知手段により操作パネルの閉状態を検知しているときに行われる操作パネルに対する所定操作の検出判定によって操作パネルに対する所定の操作を検出したときに、電子表示部の点灯を開始するように構成されているとともに、電子表示部の点灯状態で、開閉状態検知手段により操作パネルの閉状態を検知したとき、並びに、電子表示部の点灯開始から所定の点灯継続時間が経過したときに、電子表示部を消灯させるように構成されていることを特徴とする調理機器。
【請求項２】
請求項１に記載の調理機器において、
前記制御手段は、第１の記憶手段を備え、開閉状態検知手段により操作パネルの閉状態を検知しているにもかかわらず操作パネルに対する所定の操作を検出したときは第１の故障情報を前記第１の記憶手段に記憶するように構成されているとともに、制御手段への通電開始時に前記第１の故障情報が第１の記憶手段に記憶されているときにも電子表示部の点灯を開始するように構成されていることを特徴とする調理機器。
【請求項３】
請求項２に記載の調理機器において、
前記制御手段は、第１の記憶手段に第１の故障情報が記憶されている場合には、前記点灯継続時間を通常時よりも長く設定するように構成されていることを特徴とする調理機器。
【請求項４】
請求項２又は３に記載の調理機器において、
第１の記憶手段に第１の故障情報が記憶されている場合には、開閉状態検知手段により操作パネルの閉状態を検知しても電子表示部を消灯させないように前記制御手段が構成されていることを特徴とする調理機器。
【請求項５】
請求項１〜４のいずれかに記載の調理機器において、
前記制御手段は、第２の記憶手段を備え、開閉状態検知手段により操作パネルの開状態を継続的に検知している状態で所定条件を満たしたときは第２の故障情報を前記第２の記憶手段に記憶するように構成されているとともに、制御手段への通電開始時に前記第２の故障情報が第２の記憶手段に記憶されているときにも電子表示部の点灯を開始するように構成されていることを特徴とする調理機器。
【請求項６】
請求項５に記載の調理機器において、
前記操作パネルとは別に設けられた操作部と、該操作部の操作回数をカウントする操作回数計測手段とをさらに備え、前記制御手段は、開閉状態検知手段により操作パネルの開状態を継続的に検知している状態で前記操作部の操作回数が規定値以上となったときに、第２の故障情報を前記第２の記憶手段に記憶することを特徴とする調理機器。
【請求項７】
請求項５又は６に記載の調理機器において、
前記制御手段は、開閉状態検知手段により操作パネルの開状態を継続的に検知している状態で制御手段への積算通電時間が規定値以上となったときにも、第２の故障情報を前記第２の記憶手段に記憶することを特徴とする調理機器。
【請求項８】
請求項５，６又は７に記載の調理機器において、
前記制御手段は、第２の記憶手段に第２の故障情報が記憶されている場合には、前記点灯継続時間を通常時よりも長く設定するように構成されていることを特徴とする調理機器。
【請求項９】
請求項５〜８のいずれかに記載の調理機器において、
第２の記憶手段に第２の故障情報が記憶されている場合には、開閉状態検知手段により操作パネルの開状態を検知しても電子表示部の点灯を開始しないように前記制御手段が構成されていることを特徴とする調理機器。
【発明の詳細な説明】
【技術分野】
【０００１】
本発明は、カンガルーポケット等の開閉式操作パネルを具備するガスコンロなどの調理機器に関する。
【背景技術】
【０００２】
近年、例えば下記特許文献１及び２に示すように、カンガルーポケットと称される開閉式操作パネルを具備するガスコンロやＩＨクッキングヒーターなどの調理機器が普及しつつある。このカンガルーポケットによれば、多様な調理設定を行うための操作パネルを使用しないときには収納することによって、フロントデザインをシンプルなものとすることができる一方、必要時にはカンガルーポケットを引き出すことで調理タイマー機能や調理メニューの設定を操作パネルにより行うことができる。
【先行技術文献】
【特許文献】
【０００３】
【特許文献１】特開２００６−２０４７６９号公報
【特許文献２】特開２００３−２７９０５５号公報
【０００４】
これら従来のカンガルーポケット内蔵調理機器では、カンガルーポケットの操作パネルに各種表示用のＬＥＤが配設されるとともに、カンガルーポケットの開閉状態を検知するセンサが設けられ、カンガルーポケットを開いたときにはＬＥＤの発光表示により各種状態表示や、操作案内を行うように構成され、カンガルーポケットを閉じたときには節電のためにＬＥＤを消灯させるように構成されている。
【発明の概要】
【発明が解決しようとする課題】
【０００５】
上記従来のカンガルーポケットの内部に操作パネルを備えた調理機器においては、カンガルーポケットの開閉状態を検知するセンサの検出値に基づいて操作パネルのＬＥＤの点消灯を制御していたため、万一、上記センサが故障してしまうと、操作パネルのＬＥＤを適切に点消灯することができなくなり、カンガルーポケットを開いてもＬＥＤ表示がなされなくなったり、反対にカンガルーポケットを閉じてもＬＥＤが常時点灯したままとなって、調理機器の電源となる電池が早期に消耗してしまうという問題点を有していた。
【０００６】
そこで、本発明は、開閉状態を検知するセンサが故障した場合であっても、操作パネルが閉じているときにＬＥＤが常時点灯してしまうことを回避するとともに、必要時には操作パネルのＬＥＤを点灯させることができるようにすることを目的とする。
【課題を解決するための手段】
【０００７】
本発明は、上記目的を達成するために、次の技術的手段を講じた。
【０００８】
すなわち、本発明の調理機器は、閉じている状態では操作不可能な開閉式の操作パネルと、該操作パネルに配設された電子表示部と、該電子表示部の点消灯を制御する制御手段と、前記操作パネルの開閉状態を検出する開閉状態検知手段とを備え、前記制御手段は、開閉状態検知手段により操作パネルの開状態を検知したとき、並びに、開閉状態検知手段により操作パネルの閉状態を検知しているときに行われる操作パネルに対する所定操作の検出判定によって操作パネルに対する所定の操作を検出したときに、電子表示部の点灯を開始するように構成されているとともに、電子表示部の点灯状態で、開閉状態検知手段により操作パネルの閉状態を検知したとき、並びに、電子表示部の点灯開始から所定の点灯継続時間が経過したときに、電子表示部を消灯させるように構成されていることを特徴とするものである（請求項１）。
【０００９】
かかる本発明の調理機器によれば、電源スイッチをオンすることで制御手段への通電が開始された後、操作パネルの開状態を検知すると電子表示部の点灯を開始することで、電子表示部による各種状態表示、タイマー表示、操作可能ボタンのナビ表示などが行われる。万一、開閉状態検知手段の故障により操作パネルを開いても開状態が検知されない場合（以下、「閉故障」という。）であっても、閉じている状態では操作不可能な操作パネルに対する所定の操作を検出したときは、開閉状態検知手段が常時閉状態と検出してしまう閉故障であると推定できるので、開状態を検知しなくても電子表示部の点灯を開始する。
【００１０】
一方、電子表示部の点灯状態で、開閉状態検知手段により操作パネルの閉状態を検知したときは電子表示部を消灯させることで、操作パネルの収納時の消費電力の低減が図られる。万一、開閉状態検知手段の故障により操作パネルを閉じても閉状態が検知されない場合（以下、「開故障」という。）であっても、電子表示部の点灯開始から所定時間経過することで自動的に電子表示部を消灯させることで、消費電力の低減を図りつつも、何らかの操作後は電子表示部を所定時間点灯させることで、利便性を向上できる。
【００１１】
なお、本発明において、電子表示部は、操作パネルに設けられた複数の操作ボタンに対応する複数のＬＥＤなどの発光素子を備えるものとすることができ、この場合、「電子表示部の点灯」とは、複数の発光素子のうちその時点で発光させるべき少なくとも一つの発光素子を点灯制御させることを意味するものとする。例えば、調理ナビゲーション機能を操作パネルに具備させる場合、ある時点で操作可能な操作ボタンに対応する発光素子のみを点灯させればよい。なお、「電子表示部の消灯」時には、全ての発光素子を消灯させることが消費電力低減の為には望ましいが、電源スイッチがＯＮ状態であることをユーザーに喚起するなどの目的のために所定の発光素子を点灯させたままにしてもよい。また、電子表示部は、反射型液晶表示装置によって構成してもよく、この場合、「電子表示部の点灯」とは、液晶表示装置により表示を行うことを意味する。
【００１２】
上記本発明の調理機器において、前記制御手段は、第１の記憶手段を備え、開閉状態検知手段により操作パネルの閉状態を検知しているにもかかわらず操作パネルに対する所定の操作を検出したときは第１の故障情報を前記第１の記憶手段に記憶するように構成されているとともに、制御手段への通電開始時に前記第１の故障情報が第１の記憶手段に記憶されているときにも電子表示部の点灯を開始するように構成されているものとすることができる（請求項２）。これによれば、閉故障（第１の故障情報）が検出されれば第１の記憶手段に当該故障情報を記憶しておくことにより、開閉状態検知手段が常時閉状態と検知している場合でも、次回の電源ＯＮ時に当該故障情報を参照して即座に電子表示部の点灯制御を行うことができ、ユーザーが今から調理を行おうとする時にタイムリーに電子表示部の点灯制御による調理ナビ表示などを行うことが可能になる。なお、開閉状態検知手段が操作パネルの開状態を検知したときには、上記第１の故障情報を消去することが好ましく、これにより、一時的な不具合にすぎない場合には自動的に正常な制御に戻すことが可能になるとともに、恒久的な故障の場合でも開閉状態検知手段を交換するのみで自動的に正常な制御に戻すことができる。
【００１３】
さらに、前記制御手段は、第１の記憶手段に第１の故障情報が記憶されている場合には、前記点灯継続時間を通常時よりも長く設定するように構成されているものとすることができる（請求項３）。これによれば、電源ＯＮ時に上記したように強制的に電子表示部の点灯制御が行われる場合に、実際は操作パネルが収納されているために電源ＯＮ操作から暫く時間を置いてユーザーが操作パネルを開くことも想定されるが、このような場合でも、電子表示部の点灯継続時間を通常時よりも長く設定していることで、ユーザーが操作パネルを開いたときには電子表示部が消灯してしまっていることを回避できる。
【００１４】
なお、通常時（閉故障の非検出時）には点灯継続時間は例えば１０〜１５秒とすることができ、閉故障時（第１の故障情報が記憶されているとき）には点灯継続時間は例えば２０〜３０秒とすることができる。
【００１５】
また、第１の記憶手段に第１の故障情報が記憶されている場合には、開閉状態検知手段により操作パネルの閉状態を検知しても電子表示部を消灯させないように前記制御手段を構成することもできる（請求項４）。これによれば、開閉状態検知手段が常時閉状態を検知する閉故障時には、操作パネルの閉状態の検知による電子表示部の消灯制御を無効化して、操作パネルの所定の操作による点灯開始後、上記の所定の点灯継続時間が経過するまでは電子表示部を点灯させることを保証でき、開閉状態検知手段の故障により即座に電子表示部が消灯されてしまうことを防止できる。
【００１６】
また、前記制御手段は、第２の記憶手段を備え、開閉状態検知手段により操作パネルの開状態を継続的に検知している状態で所定条件を満たしたときは第２の故障情報を前記第２の記憶手段に記憶するように構成されているとともに、制御手段への通電開始時に前記第２の故障情報が第２の記憶手段に記憶されているときにも電子表示部の点灯を開始するように構成されているものとすることができる（請求項５）。これによれば、開状態を継続的に検知している状態で、該開状態の検知開始初期からの経過時間や、制御手段への積算通電時間や、操作パネル外の操作部の操作回数などが規定値以上になるなど、ユーザーによる通常の想定使用状況であれば考え難い条件を満たしたときには、開閉状態検知手段が開故障（常時、開状態を出力する状態）しているおそれがあるため、開故障情報（第２の故障情報）を第２の記憶手段に記憶しておき、次回の電源ＯＮ時に当該故障情報を参照して即座に電子表示部の点灯制御を行うことができ、ユーザーが今から調理を行おうとする時にタイムリーに電子表示部の点灯制御による調理ナビ表示などを行うことが可能になる。なお、開閉状態検知手段が操作パネルの閉状態を検知したときには、上記第２の故障情報を消去することが好ましく、これにより、一時的な不具合にすぎない場合には自動的に正常な制御に戻すことが可能になるとともに、恒久的な故障の場合でも開閉状態検知手段を交換するのみで自動的に正常な制御に戻すことができる。
【００１７】
本発明の調理機器は、前記操作パネルとは別に設けられた操作部と、該操作部の操作回数をカウントする操作回数計測手段とをさらに備えることができ、前記制御手段は、開閉状態検知手段により操作パネルの開状態を継続的に検知している状態で前記操作部の操作回数が規定値以上となったときに、第２の故障情報を前記第２の記憶手段に記憶するように構成できる（請求項６）。上記操作部としては、例えば、ガスコンロのバーナーの着火操作を行う操作スイッチなどを代表的なものとして挙げることができる。これによれば、ユーザーが実際には操作パネルの開閉操作を行っているにもかかわらず開閉状態検知手段は操作パネルの開状態を継続的に検知したままである場合に、第２の故障情報（開故障情報）を記憶することにより、特に種々の操作による多彩な調理操作を行うユーザーに対して、比較的早期に開故障検知による適切な電子表示部の強制点灯制御を行わせることが可能になる。
【００１８】
また、前記制御手段は、開閉状態検知手段により操作パネルの開状態を継続的に検知している状態で制御手段への積算通電時間が規定値以上となったときに、第２の故障情報を前記第２の記憶手段に記憶するものであってよい（請求項７）。これによれば、例えば電源ＯＮ後１時間もの間、操作パネルの開状態を継続的に検知した以降は、第２の故障情報（開故障情報）を記憶しておくことで、次回の電源ＯＮ時に強制的に電子表示部の点灯を開始させることが可能になる。
【００１９】
さらに、前記制御手段は、第２の記憶手段に第２の故障情報が記憶されている場合には、前記点灯継続時間を通常時よりも長く設定するように構成することができる（請求項８）。これによれば、電源ＯＮ時に上記したように強制的に電子表示部の点灯制御が行われる場合に、実際は操作パネルが収納されているために電源ＯＮ操作から暫く時間を置いてユーザーが操作パネルを開くことも想定されるが、このような場合でも、電子表示部の点灯継続時間を通常時よりも長く設定していることで、ユーザーが操作パネルを開いたときには電子表示部が消灯してしまっていることを回避できる。なお、通常時（開故障の非検出時）には点灯継続時間は例えば１０〜１５秒とすることができ、開故障時（第２の故障情報が記憶されているとき）には点灯継続時間は例えば２０〜３０秒とすることができる。
【００２０】
また、第２の記憶手段に第２の故障情報が記憶されている場合には、開閉状態検知手段により操作パネルの開状態を検知しても電子表示部の点灯を開始しないように前記制御手段を構成することができる（請求項９）。これによれば、開閉状態検知手段が常時開状態を検知する開故障時には、操作パネルの開状態の検知による電子表示部の点灯開始制御を無効化して、操作パネルの所定の操作があるまでは電子表示部を消灯させておくことで、開閉状態検知手段の開故障時に、所定の点灯継続時間の経過によって電子表示部が消灯された直後に、開状態検知によって再度点灯され、結果的に電子表示部が常時点灯制御されてしまうことを防止できる。
【００２１】
なお、上記記憶手段としては、制御手段への通電を切っても記憶保持可能なものであればよく、例えば、書換え可能な不揮発性メモリを用いることが好ましいが、ボタン電池やコンデンサなどから供給される電圧により情報を保持するＣＭＯＳメモリなどによって構成することも可能である。また、第１及び第２の記憶手段は、共通の不揮発性メモリを用いて記憶するアドレスを別の場所とすることで構成することが回路構成の簡素化及びコスト低減のために好ましい。
【発明の効果】
【００２２】
本発明の請求項１に係る調理機器によれば、電源スイッチをオンすることで制御手段への通電が開始された後、操作パネルの開状態を検知すると電子表示部の点灯を開始することで、電子表示部による各種状態表示、タイマー表示、操作可能ボタンのナビ表示などが行われる。万一、開閉状態検知手段の故障により操作パネルを開いても開状態が検知されない閉故障時であっても、閉じている状態では操作不可能な操作パネルに対する所定の操作を検出したときは、閉故障であると推定できるので、開状態を検知しなくても電子表示部の点灯を開始することができる。一方、電子表示部の点灯状態で、開閉状態検知手段により操作パネルの閉状態を検知したときは電子表示部を消灯させることで、操作パネルの収納時の消費電力の低減が図られる。万一、開閉状態検知手段の故障により操作パネルを閉じても閉状態が検知されない開故障時であっても、電子表示部の点灯開始から所定時間経過することで自動的に電子表示部を消灯させることで、消費電力の低減を図りつつも、何らかの操作後は電子表示部を所定時間点灯させることで、利便性を向上できる。
【００２３】
また、本発明の請求項２に係る調理機器によれば、閉故障（第１の故障情報）が検出されれば第１の記憶手段に当該故障情報を記憶しておくことにより、開閉状態検知手段が常時閉状態と検知している場合でも、次回の電源ＯＮ時に当該故障情報を参照して即座に電子表示部の点灯制御を行うことができ、ユーザーが今から調理を行おうとする時にタイムリーに電子表示部の点灯制御による調理ナビ表示などを行うことが可能になる。
【００２４】
また、本発明の請求項３に係る調理機器によれば、電源ＯＮ時に上記したように強制的に電子表示部の点灯制御が行われる場合に、実際は操作パネルが収納されているために電源ＯＮ操作から暫く時間を置いてユーザーが操作パネルを開くことも想定されるが、このような場合でも、電子表示部の点灯継続時間を通常時よりも長く設定していることで、ユーザーが操作パネルを開いたときには電子表示部が消灯してしまっていることを回避できる。
【００２５】
また、本発明の請求項４に係る調理機器によれば、開閉状態検知手段が常時閉状態を検知する閉故障時には、操作パネルの閉状態の検知による電子表示部の消灯制御を無効化して、操作パネルの所定の操作による点灯開始後、上記の所定の点灯継続時間が経過するまでは電子表示部を点灯させることを保証でき、開閉状態検知手段の故障により即座に電子表示部が消灯されてしまうことを防止できる。
【００２６】
また、本発明の請求項５に係る調理機器によれば、開状態を継続的に検知している状態で、該開状態の検知開始初期からの経過時間や、制御手段への積算通電時間や、操作パネル外の操作部の操作回数などが規定値以上になるなど、ユーザーによる通常の想定使用状況であれば考え難い条件を満たしたときには、開閉状態検知手段が開故障（常時、開状態を出力する状態）しているおそれがあるため、開故障情報（第２の故障情報）を第２の記憶手段に記憶しておき、次回の電源ＯＮ時に当該故障情報を参照して即座に電子表示部の点灯制御を行うことができ、ユーザーが今から調理を行おうとする時にタイムリーに電子表示部の点灯制御による調理ナビ表示などを行うことが可能になる。
【００２７】
また、本発明の請求項６に係る調理機器によれば、ユーザーが実際には操作パネルの開閉操作を行っているにもかかわらず開閉状態検知手段は操作パネルの開状態を継続的に検知したままである場合に、第２の故障情報（開故障情報）を記憶することにより、特に種々の操作による多彩な調理操作を行うユーザーに対して、比較的早期に開故障検知による適切な電子表示部の強制点灯制御を行わせることが可能になる。
【００２８】
また、本発明の請求項７に係る調理機器によれば、例えば電源ＯＮ後１時間もの間、操作パネルの開状態を継続的に検知した以降は、第２の故障情報（開故障情報）を記憶しておくことで、次回の電源ＯＮ時に強制的に電子表示部の点灯を開始させることが可能になる。
【００２９】
また、本発明の請求項８に係る調理機器によれば、電源ＯＮ時に上記したように強制的に電子表示部の点灯制御が行われる場合に、実際は操作パネルが収納されているために電源ＯＮ操作から暫く時間を置いてユーザーが操作パネルを開くことも想定されるが、このような場合でも、電子表示部の点灯継続時間を通常時よりも長く設定していることで、ユーザーが操作パネルを開いたときには電子表示部が消灯してしまっていることを回避できる。
【００３０】
また、本発明の請求項９に係る調理機器によれば、開閉状態検知手段が常時開状態を検知する開故障時には、操作パネルの開状態の検知による電子表示部の点灯開始制御を無効化して、操作パネルの所定の操作があるまでは電子表示部を消灯させておくことで、開閉状態検知手段の開故障時に電子表示部が常時点灯制御されてしまうことを防止できる。
【図面の簡単な説明】
【００３１】
【図１】本発明の一実施形態に係る調理機器の操作パネルのナビ表示制御の電源ＯＮからナビ表示開始前までのフローを示すフローチャートである。
【図２】同ナビ表示制御のナビ表示開始からナビ表示終了までのフローを示すフローチャートである。
【図３】同実施形態に係る調理機器の概略全体斜視図である。
【発明を実施するための形態】
【００３２】
以下、本発明の好適な実施形態を図面に基づいて説明する。
【００３３】
図３は本実施形態に係るグリル付きガスコンロ１（調理機器）を示しており、このガスコンロ１は、３つのコンロバーナ２，３，４、及び、グリルバーナ（図示せず）を備えるグリル部６を備えたビルトインタイプのガスコンロにて構成されており、３つのコンロバーナ２，３，４は、標準バーナ２と、小バーナ３と、高火力バーナ４とによって構成されている。
【００３４】
ガラス製のトッププレート５にてガスコンロ上面が覆われており、また、トッププレート５の後方には、グリル部６からの排気を行うグリル排気口７が形成されている。
【００３５】
ガスコンロ前側面には、電源スイッチ８、各コンロバーナ２，３，４のそれぞれに対応する器具栓として用いられる点消火操作部２Ａ，３Ａ，４Ａ、各コンロバーナ２，３，４における調理の設定を行うコンロバーナ用開閉式操作パネル９、及び、グリル部６におけるグリルバーナの点消火操作や調理の設定を行うグリルバーナ用開閉式操作パネル１０が設けられている。各操作パネル９，１０は、それぞれカンガルーポケットの上面に配設されている。
【００３６】
ガスコンロ１には、マイクロコンピュータ及び書換え可能不揮発性メモリを備えて各種の制御を実行するように構成された制御手段と、該制御手段の電源となる電池とが内蔵されており、電源スイッチ８のオンにより制御手段に通電して各種制御を行うように構成され、電源スイッチ８のオフにより制御手段への通電を切って消費電力を節減するように構成されている。不揮発性メモリは、電源スイッチ８のオフ時においても記憶された情報を保持する。
【００３７】
また、電源スイッチ８をオンしたとき、各点消火操作部２Ａ，３Ａ，４Ａ及び各操作パネル９，１０の操作にて指令された運転指令に基づいて、制御手段が、各コンロバーナ２，３，４及びグリルバーナの燃焼運転を制御するように構成されている。
【００３８】
各操作パネル９，１０のそれぞれには、開閉状態を検知するための開閉状態検知手段（図示ぜず）が設けられており、開状態であるか閉状態であるかを制御手段に出力するようになっている。かかる検知手段としては、接点式のスイッチを好適に用いることができるが、近接スイッチなどを用いてもよい。また、検知手段は、閉状態であるか閉状態でないかの１ビットの情報を出力するものであってもよく、この場合、閉状態でない場合を開状態であるとみなして制御することができる。また、検知手段は、開状態であるか開状態でないかの１ビットの情報を出力するものであってもよく、この場合、開状態でない場合を閉状態であるとみなして制御することができる。また、検知手段は、開状態であるか否かの情報と、閉状態であるか否かの情報を含む２ビットの情報を出力するものであってもよく、この場合は整合性検査により一層的確な故障検知制御を行うことも可能である。
【００３９】
上記不揮発性メモリには、各開閉状態検知手段の故障状態を持続的に記憶保持するために、閉故障と診断された場合にＯＮされる閉故障フラグ（第１の記憶手段）と、開故障と診断された場合にＯＮされる開故障フラグ（第２の記憶手段）とが、各操作パネル９，１０毎に設けられている。ここで、各故障フラグをＯＮすることは、故障情報を不揮発性メモリに記憶することを意味し、各故障フラグをＯＦＦすることは、故障情報を不揮発性メモリから消去することを意味するものとする。
【００４０】
また、各操作パネル９，１０には、各バーナの燃焼時間の設定、バーナ燃焼量制御による調理温度の設定、湯沸かしなどの設定、グリルの調理メニューの設定などを行う各種操作ボタンや、時間表示や温度表示などを行うための液晶表示部などが設けられているとともに、各操作ボタンに対応して、当該ボタンが現在有効な操作ボタンであることをナビ表示するためのＬＥＤなどの発光素子が各操作ボタンに埋め込み乃至近接配置されており、これら複数の発光素子によって、調理操作のナビ表示を行う電子表示部１１，１２が構成されている。コンロバーナ用操作パネル９の電子表示部１１と、グリルバーナ用操作パネル１０の電子表示部１２とは、制御手段によって個別に点消灯制御されるようになっている。
【００４１】
図１及び図２は、各操作パネル９，１０の電子表示部１１，１２の制御手段による点消灯制御フローを示しており、以下説明の簡単のために操作パネル９の電子表示部１１の制御として説明する。
【００４２】
図１に示すように、ユーザーが電源スイッチ８をオンすると（ステップＳ１）、まず制御手段への積算通電時間を計測するためのタイマーＴ１を初期化する（ステップＳ２）。次に、不揮発性メモリ内に設けられた閉故障フラグがＯＮであるか（第１の故障情報が記憶されているか）、若しくは、不揮発性メモリ内に設けられた開故障フラグがＯＮである（第２の故障情報が記憶されているか）場合には、開閉状態検知手段が故障している可能性が高いため、即座にナビ表示制御を行うために、図２のステップＳ１０へジャンプする（ステップＳ３）。
【００４３】
いずれの故障フラグもＯＦＦである場合（ステップＳ３：ＮＯ）は、次に、操作パネル９の開閉状態検知手段の出力を診断し（ステップＳ４）、操作パネル９の閉状態を検知するときは開故障フラグをＯＦＦ、すなわち第２の故障情報を消去して（ステップＳ５）、操作パネル９の所定操作の検出判定を行う（ステップＳ８）。操作パネル９の何らの操作も行われていなければステップ４に戻り、操作パネル９に対して何らかの操作が行われていれば、閉故障であると診断されるため、閉故障フラグをＯＮにして、図２のステップＳ１０へ移行する。
【００４４】
一方、ステップＳ４において、操作パネル９の開状態を検知するときは、閉故障フラグをＯＦＦ、すなわち第１の故障情報を消去して（ステップＳ６）、開故障フラグがＯＮであるか否かを判定する（ステップＳ７）。当該ステップＳ７は、図２に示すナビ表示制御中に開故障と診断され、開故障フラグがＯＮされた後にステップＳ４へ制御が戻った場合に、何らユーザが操作を行っていないにもかかわらず操作パネル９の開検知（誤検知）により再度ナビ表示制御が開始されてしまい、結果的に常時、電子表示部１１が点灯されてしまうことを回避するためのステップである。開故障フラグがＯＮの場合は、次に操作パネル９の所定操作が検出されるまで電子表示部１１を消灯状態でループさせるためにステップＳ８へ移行し、開故障フラグがＯＦＦの場合は、操作パネル９の開状態の検知により電子表示部１１の点灯によるナビ表示の制御を開始するために、図２のステップＳ１０へ移行する。
【００４５】
かかる図１に示すように、制御手段は、（１）制御手段への通電開始時に第１の故障情報が第１の記憶手段に記憶されているとき（閉故障フラグがＯＮのとき）、（２）制御手段への通電開始時に第２の故障情報が第２の記憶手段に記憶されているとき（開故障フラグがＯＮのとき）、（３）電子表示部１１の消灯状態で開閉状態検知手段により操作パネル９の開状態を検知し且つ第２の故障情報が第２の記憶手段に記憶されていないとき（開故障フラグがＯＦＦのとき）、及び、（４）電子表示部１１の消灯状態で操作パネル９に対する所定の操作を検出したとき、のいずれかの条件を満たせば、電子表示部１１の点灯を開始するように構成されている。なお、開故障フラグを設けずに、開故障フラグの判定を行うステップＳ７も省略して、操作パネル９の開状態が検知されれば無条件で電子表示部１１の点灯を開始させるように構成してもよく、また、通電直後の各故障フラグの判定を行うステップＳ３を省略して操作パネル９の開状態の検知か操作パネル９に対する所定操作の検出のいずれかの場合にのみ電子表示部１１の点灯を開始させるように構成してもよい。
【００４６】
図２は電子表示部１１によるナビ表示制御中における電子表示部１１の点消灯制御フローを示しており、まず、ナビ表示継続時間（点灯継続時間）を計測するためのタイマーＴＮを初期化して（ステップＳ１０）、電子表示部１１の点灯によりナビ表示制御を開始する（ステップＳ１１）。かかるナビ表示制御が開始された後は、後述するステップＳ２３におけるナビ表示制御の停止が行われるまで、制御手段が、操作パネル９の操作状況に応じて電子表示部１１に含まれる各発光素子や液晶表示部の点消灯制御が行われる。
【００４７】
次に、開閉状態検知手段の検出結果に基づいて操作パネル９の開閉状態を診断し（ステップＳ１２）、操作パネル９が開状態であると検知されるときは閉故障フラグをＯＦＦに設定して（ステップＳ１３）、操作パネル９に対応する器具栓となる点消火操作部２Ａ，３Ａ，４Ａによる各コンロバーナ２，３，４の総着火回数（器具栓ＯＮ回数）が規定値以上（例えば、１００回以上）となるか（ステップＳ１４）、あるいは、制御手段への通電開始時からの経過時間（すなわち積算通電時間）を示すタイマーＴ１が規定値以上（例えば、１時間以上）である場合（ステップＳ１５）には、開閉状態検知手段が操作パネル９を閉じても開状態を検知している可能性が高いと判断されるため、開故障フラグをＯＮに設定する（ステップＳ１６）。その後、電子表示部１１の点灯開始から所定の点灯継続時間が経過したか否かを判定し（ステップＳ１８，Ｓ１９）、所定時間が経過していなければステップＳ１２に戻り、所定の点灯継続時間が経過したときは節電のために電子表示部１１を消灯させてナビ表示制御を停止させる（ステップＳ２３）。ここで、開故障フラグ及び閉故障フラグの少なくともいずれか一方がＯＮに設定されているとき（ステップＳ１７）は、開閉状態検知手段の故障により正確な開閉状態検知が行われていないと判定されるため、上記点灯継続時間として２０秒に設定しており（ステップＳ１８）、故障状態を検出していない通常時の点灯継続時間としての１０秒（ステップＳ１９）よりも長く設定されている。
【００４８】
上記ステップＳ１２において、操作パネル９の閉状態を検知したときは、開故障フラグをＯＦＦに設定して（ステップＳ２０）、閉故障フラグがＯＮであるか否かを判定する（ステップＳ２１）。当該ステップＳ２１は、図１のステップＳ９において閉故障フラグがＯＮされた後にナビ表示制御が開始された場合に、ステップＳ１２において即座に閉状態が検知されてナビ表示の終了処理に移行されてしまうことを回避するためのステップである。閉故障フラグがＯＮの場合は、上記の所定の点灯継続時間が経過するまではナビ表示制御を行わせるためにステップＳ１４へ移行する。一方、閉故障フラグがＯＦＦの場合は、上記ステップＳ１２において操作パネル９の閉状態を検知できていることから、開故障状態ではないと判断できるため、開故障フラグをＯＮするためのカウンターとなる器具栓ＯＮ回数及びタイマーＴ１を初期化した上で（ステップＳ２２）、操作パネル９の閉状態の検知により電子表示部１１を消灯させてナビ表示制御を終了させるためにステップＳ２３へ移行する。
【００４９】
ステップＳ２３では、電子表示部１１を消灯させることでナビ表示を停止させるが、ナビ表示を行うための内部の制御自体は継続しつつ電子表示部１１を構成する各発光素子への通電のみを停止するものであってもよく、ナビ表示制御そのものを停止させるものであってもよい。
【００５０】
かかる図２に示すように、制御手段は、（１）電子表示部１１の点灯状態で、開閉状態検知手段により操作パネル９の閉状態を検知し且つ閉故障フラグがＯＦＦであるとき、（２）電子表示部の点灯開始から所定の点灯継続時間が経過したとき、のいずれかの条件を満たせば、電子表示部１１を消灯するように構成されている。なお、閉故障フラグを設けずに、閉故障フラグの判定を行うステップＳ２１も省略して、操作パネル９の閉状態が検知されれば無条件で電子表示部１１を消灯させるように構成してもよい。
【００５１】
以上説明した本実施形態に係るガスコンロ１によれば、開閉状態検知手段が常時開状態を出力する状態となる開故障が発生したか否かを示す開故障フラグと、常時閉状態を出力する状態となる閉故障が発生したか否かを示す閉故障フラグとを設けたので、それぞれの故障状態に対応して適切な制御を行わせることができる。
【００５２】
本発明は上記実施形態に限定されるものではなく、適宜設計変更できる。例えば、図１及び図２においてはシーケンス制御の例を示したが、操作パネルの開閉状態検知や、操作パネルに対する操作検出や、タイマーＴ１又はＴＮが所定時間を経過したときに割込み処理を行わせて所定の制御を行うように構成してもよい。また、制御手段は論理回路によって構成することもできる。
【符号の説明】
【００５３】
１  調理機器
９  コンロバーナ用操作パネル
１０  グリルバーナ用操作パネル
１１  コンロバーナ用操作パネルの電子表示部
１２  グリルバーナ用操作パネルの電子表示部
【図１】
0005887832.tif 000002
【図２】
0005887832.tif 000003
【図３】
0005887832.tif 000004